【手続補正書】
【提出日】平成18年12月25日(2006.12.25)
【手続補正１】
【補正対象書類名】明細書
【補正対象項目名】特許請求の範囲
【補正方法】変更
【補正の内容】
【特許請求の範囲】
【請求項１】  光変調素子に光源より発生する光を照射し、該光変調素子より透過または反射した光により表示画面を構成する表示装置において、
入力表示信号により所定の演算を行う入力画像演算手段と、
前記演算により決まる値に応じて前記光変調素子に照射される光量を段階的に増加もしくは減少させる光量制御手段と、を有しており、
前記光量制御手段が、前記演算により決まる値に応じて前記光量を所定の段階である第１の段階から１段階増加した第２の段階に増加させるときの閾値と、前記第２の段階からより低光量の段階に減少させるときの閾値とが異なるものであることを特徴とする表示装置。
【請求項２】  光変調素子に光源より発生する光を照射し、該光変調素子より透過または反射した光により表示画面を構成する表示装置において、
入力表示信号により所定の演算を行う入力画像演算手段と、
前記演算の結果に応じて前記光変調素子に照射される光量を制御する光量制御手段と、を有しており、
前記光量制御手段は、前記光量を減らすときの変化率が光量を増やすときの変化率よりも小さくなるように設定されることを特徴とする表示装置。  
【請求項３】  前記演算により決まる値が第１の方向に変化して第１の閾値を越えたときに、前記光量を前記第１の段階から前記第２の段階に増加させ、前記演算により決まる値が前記第１の方向とは逆の第２の方向に変化して、前記第１の閾値よりも前記第２の方向側に設定された第２の閾値を越えた時に、前記光量を前記第２の段階からより低光量の段階に減少させるように、前記光量制御手段が設定されている請求項１に記載の表示装置。
【請求項４】  前記低光量の段階が前記第１の段階である請求項３に記載の表示装置。
【請求項５】  前記演算の結果に応じて表示信号の調整を行う調整回路を有している請求項１から３のいずれかに記載の表示装置。
【請求項６】  前記演算は所定の期間内に入力される前記表示信号のうちの最大輝度を求める演算である請求項１から５のいずれかに記載の表示装置。
【請求項７】  前記演算は所定の期間内に入力される前記表示信号が含む輝度データのうちの所定の輝度を超えるデータの数を求める演算である請求項１から５のいずれかに記載の表示装置。
【請求項８】  更に前記光変調素子に照射される光量を検出するセンサを有しており、前記光量制御手段は、前記演算の結果と前記センサによる検出結果とに基づいて前記光量を制御する請求項１から７のいずれかに記載の表示装置。
【請求項９】  前記演算の結果に応じて表示信号の調整を行う調整回路と、前記光変調素子に照射される光量を検出するセンサを有しており、前記調整回路は、前記演算の結果と前記センサによる検出結果とに応じて前記調整を行う請求項１から３のいずれかに記載の表示装置。
【請求項１０】  前記照射光量の変化量または変化率を設定する照射光量変化量設定手段を備えることを特徴とする請求項１から９のいずれかに記載の表示装置。
【請求項１１】  前記変化率は、照射光量を減少させる方向より増加させる方向の方が大きいことを特徴とする請求項１０に記載の表示装置。
【請求項１２】  前記光量制御手段は、前記光源と前記光変調素子の間に配置されて前記光源から前記光変調素子に照射される光量を制御する手段であることを特徴とする請求項１から１1のいずれかに記載の表示装置。
【請求項１３】  前記光量制御手段は、前記光源に供給する電圧または電流を制御する手段であることを特徴とする請求項１から１1のいずれかに記載の表示装置。
【請求項１４】  光変調素子に光源より発生する光を照射し、該光変調素子より透過または反射した光により表示画面を構成する表示装置で用いる映像信号処理装置において、
入力表示信号により所定の演算を行う入力画像演算手段と、
前記演算により決まる値に応じて前記光変調素子に照射される光量を段階的に増加もしくは減少させる制御値を出力する手段と、を有しており、
前記制御値を出力する手段が、前記演算により決まる値に応じて前記光量を所定の段階である第１の段階から１段階増加した第２の段階に増加させる制御値を出力するときの閾値と、前記第２の段階からより低光量の段階に減少させる制御値を出力するときの閾値とが異なるものであることを特徴とする映像信号処理装置。
【請求項１５】  光変調素子に光源より発生する光を照射し、該光変調素子より透過または反射した光により表示画面を構成する表示装置で用いる映像信号処理装置において、
入力表示信号により所定の演算を行う入力画像演算手段と、
前記演算の結果に応じて前記光変調素子に照射される光量を制御する制御値を出力する手段と、を有しており、
前記制御値は、前記光量を減らすときの変化率が光量を増やすときの変化率よりも小さくなるように設定されることを特徴とする映像信号処理装置。
【手続補正２】
【補正対象書類名】明細書
【補正対象項目名】０００９
【補正方法】変更
【補正の内容】
【０００９】
【課題を解決するための手段】
上記課題を解決するための本発明の表示装置は、光変調素子に光源より発生する光を照射し、該光変調素子より透過または反射した光により表示画面を構成する表示装置において、
入力表示信号により所定の演算を行う入力画像演算手段と、
前記演算により決まる値に応じて前記光変調素子に照射される光量を段階的に増加もしくは減少させる光量制御手段と、を有しており、
前記光量制御手段が、前記演算により決まる値に応じて前記光量を所定の段階である第１の段階から１段階増加した第２の段階に増加させるときの閾値と、前記第２の段階からより低光量の段階に減少させるときの閾値とが異なるものであることを特徴とする。
【手続補正３】
【補正対象書類名】明細書
【補正対象項目名】００１０
【補正方法】変更
【補正の内容】
【００１０】
さらに、本発明の表示装置は、光変調素子に光源より発生する光を照射し、該光変調素子より透過または反射した光により表示画面を構成する表示装置において、
入力表示信号により所定の演算を行う入力画像演算手段と、
前記演算の結果に応じて前記光変調素子に照射される光量を制御する光量制御手段と、を有しており、
前記光量制御手段は、前記光量を減らすときの変化率が光量を増やすときの変化率よりも小さくなるように設定されることを特徴とする。  
【手続補正４】
【補正対象書類名】明細書
【補正対象項目名】００１１
【補正方法】変更
【補正の内容】
【００１１】
さらに、本発明の映像信号処理装置は、光変調素子に光源より発生する光を照射し、該光変調素子より透過または反射した光により表示画面を構成する表示装置で用いる映像信号処理装置において、
入力表示信号により所定の演算を行う入力画像演算手段と、
前記演算により決まる値に応じて前記光変調素子に照射される光量を段階的に増加もしくは減少させる制御値を出力する手段と、を有しており、
前記制御値を出力する手段が、前記演算により決まる値に応じて前記光量を所定の段階である第１の段階から１段階増加した第２の段階に増加させる制御値を出力するときの閾値と、前記第２の段階からより低光量の段階に減少させる制御値を出力するときの閾値とが異なるものであることを特徴とする。
【手続補正５】
【補正対象書類名】明細書
【補正対象項目名】００１２
【補正方法】変更
【補正の内容】
【００１２】
さらに、本発明の映像信号処理装置は、光変調素子に光源より発生する光を照射し、該光変調素子より透過または反射した光により表示画面を構成する表示装置で用いる映像信号処理装置において、
入力表示信号により所定の演算を行う入力画像演算手段と、
前記演算の結果に応じて前記光変調素子に照射される光量を制御する制御値を出力する手段と、を有しており、
前記制御値は、前記光量を減らすときの変化率が光量を増やすときの変化率よりも小さくなるように設定されることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】